(57)【特許請求の範囲】
【請求項１】
入力信号を受信し、該入力信号を増幅して増幅信号を生成し、前記入力信号と前記増幅信号とに基づき誤り信号を求め、該誤り信号を増幅して、誤り成分及び誤り信号歪成分を含む増幅誤り信号を生成するフィードフォワード増幅器において、前記増幅誤り信号における歪を補正するための装置であって、
前記誤り信号の一部を受信し、前記増幅誤り信号の一部を受信し、該誤り信号の受信された部分と該増幅誤り信号の受信された部分とに基づき前記増幅誤り信号の受信された部分の歪成分を含む誤り歪信号を生成するフィードバック制御回路を備え、前記フィードバック制御回路は誤り歪信号をさらに定量化し、前記定量化された誤り歪信号に基づいて制御信号を生成し、
前記制御信号は前記入力信号の振幅および位相の調整を制御することができ、それによって前記誤り信号歪成分が低減され得ることを特徴とする装置。
【請求項２】
請求項１に記載の装置であって、前記制御回路は、
前記誤り信号のピーク電力エネルギを検出する電力検出器と、
前記検出されたエネルギに基づき前記制御信号を生成するピーク電力検出器に接続された制御装置と、を含み、
前記制御信号は、前記入力信号の振幅と前記入力信号の位相を制御することが可能であることを特徴とする装置。
【請求項３】
請求項１に記載の装置であって、前記制御回路は、
前記誤り信号の前記一部を受信し、前記誤り信号の前記一部の振幅と位相を調整して前記誤り信号の振幅と位相が調整された部分を生成し、また、前記誤り信号の振幅と位相が調整された部分を送信する利得位相調整器と、
前記誤り信号の前記振幅と位相が調整された部分を受信し、また前記増幅誤り信号の前記一部を受信し、また前記誤り信号の前記振幅と位相が調整された部分を前記増幅誤り信号の前記一部と合成して前記増幅誤り信号の前記受信された部分の誤り成分を部分的に打ち消し又前記増幅誤り信号の前記受信された部分の歪成分から構成される誤り歪信号を生成する利得位相調整器に接続された加算接合器と、
前記誤り歪信号を定量化する前記加算接合器に接続された歪検出器と、
前記定量化された誤り歪信号を読込み、また前記定量化された誤り歪信号に基づき前記制御信号を生成する歪検出器に接続された制御装置と、を含むことを特徴とする装置。
【請求項４】
フィードフォワード増幅器であって、
入力信号を受信し、前記入力信号をサンプリングして減衰入力信号を生成し、前記減衰入力信号をフィードフォワード補正回路へ送り、前記入力信号を振幅して歪成分から構成される増幅信号を生成し、前記増幅信号をサンプリングして減衰増幅信号を生成し、前記減衰増幅信号を前記フィードフォワード補正回路へ送る主信号経路と、
前記減衰入力信号と前記減衰増幅信号を前記主信号経路から受信し、前記減衰入力信号と前記減衰増幅信号に基づき誤り信号を生成し、前記誤り信号を増幅して誤り成分と歪成分から構成される増幅誤り信号を生成し、前記誤り信号をサンプリングして減衰誤り信号を生成し、前記増幅誤り信号をサンプリングして減衰増幅誤り信号を生成し、前記減衰誤り信号と前記減衰増幅誤り信号をフィードバック制御回路へ送る主信号経路に接続されたフィードフォワード補正回路と、
前記主信号経路と前記フィードフォワード補正回路の各々に接続され、前記フィードフォワード補正回路から前記減衰誤り信号と前記減衰増幅誤り信号を受信し、前記減衰誤り信号と前記減衰増幅誤り信号に基づき前記減衰増幅誤り信号の歪成分を含む誤り歪信号を生成し、前記誤り歪信号を定量化して定量化された誤り歪信号を生成し、前記定量化された誤り歪信号に基づき制御信号を生成し、前記制御信号を前記主信号経路へ送るフィードバック制御回路と、を含み、
前記制御信号に基づき、前記主信号経路は、前記増幅誤り信号の歪成分を低減するために、前記入力信号の振幅と位相を調整することを特徴とするフィードフォワード増幅器。
【請求項５】
入力信号を増幅して増幅信号を生成するフィードフォワード増幅器を有する送信機において歪を低減するための方法であって、
入力信号を受信する段階と、
前記入力信号をサンプリングして減衰入力信号を生成する段階と、
前記増幅信号をサンプリングして減衰増幅信号を生成する段階と、
前記減衰入力信号を前記減衰増幅信号と合成して誤り信号を生成する段階と、
前記誤り信号をサンプリングして減衰誤り信号を生成する段階と、
前記誤り信号を増幅して増幅誤り信号を生成する段階と、
前記増幅誤り信号をサンプリングして減衰増幅誤り信号を生成する段階と
前記減衰誤り信号と前記減衰増幅誤り信号とに基づき減衰増幅誤り信号の歪成分を含む誤り歪信号を生成する段階と、
前記誤り歪信号を定量化する段階と、
前記定量化された誤り歪信号に基づき前記入力信号の振幅と位相を調整する段階と、
からなることを特徴とする方法。
【請求項６】
請求項５に記載の方法であって、
前記制御信号は、複数の制御信号から構成され、
誤り歪信号を生成する段階は、前記減衰誤り信号を前記減衰増幅誤り信号と合成して前記誤り増幅器歪信号を生成する段階から構成され、
前記方法は、更に、前記減衰誤り信号を前記減衰増幅誤り信号とを合成するのに先立って又前記複数の制御信号の内第１制御信号に基づき、前記減衰増幅誤り信号の誤り成分の打ち消しを容易にするために、前記減衰誤り信号の振幅と位相を調整する段階を含み、
前記制御信号に基づき前記入力信号の振幅と位相を調整する段階は、前記複数の制御信号の内第２制御信号に基づき前記入力信号の振幅と位相を調整する段階を含む、ことを特徴とする方法。
【発明の詳細な説明】
【０００１】
【発明の属する技術分野】
本発明は、一般的に無線通信装置に関し、特に、無線通信装置の送信機部に関する。
【０００２】
【従来の技術】
無線通信装置の間で共有される周波数スペクトルには、限度がある。従って、送信機が、割り当てられた周波数スペクトルすなわちチャネルにおいて、隣接チャネルの他の通信装置を阻害せずに可能な限り多くの情報を送信しようとする能力は、極めて重要である。割り当てられたチャネルにおいて可能な限り多くの情報を送信する場合、通常、デジタル通信システムは、無線周波数（ＲＦ）搬送波の振幅と位相の両方を変調する。振幅変調によって、位相のみが変調される場合、より多くの情報が、与えられたチャネルの搬送波上で符号化される。しかしながら、振幅変調によって、ＲＦ搬送波の位相のみが変調される場合には存在しない新たな課題が送信機に課せられる。
【０００３】
これらの新たな課題は、ＲＦ電力増幅器によって振幅変調された信号の増幅に起因する固有の非線形効果によるものである。ＲＦ電力増幅器の非線形性によって、振幅成分と位相成分を含む信号歪成分が元の信号に付加される。ＲＦ電力増幅器がある範囲の振幅において駆動される場合、これらの新たな成分は、その振幅圧縮性（ＡＭ／ＡＭ）と位相歪（ＡＭ／ＤＭ）性による。これらの歪成分が補正されない場合、スペクトルが隣接チャネルへ拡散する原因になり、また、これによって、隣接チャネルを用いる通信装置を阻害する。
【０００４】
数多くの従来技術による信号処理技術が、ＲＦ電力増幅器の非線形性を補正するために開発されてきた。このような技術の１つは、フィードフォワード増幅器におけるフィードフォワード補正回路の使用を含む。一般的に、フィードフォワード増幅器は、ＲＦ電力増幅器によって生成された歪成分を分離して、誤り信号を生成する。そして、誤り信号は、増幅され、更に、歪成分が最大限打ち消されるように、振幅、位相、及び遅延が調整された状態でＲＦ電力増幅器の出力に付加される。しかしながら、フィードフォワード増幅器で実現可能な歪低減量は、誤り信号が誤り増幅器によって振幅される場合、誤り信号に生じる歪によって制限される。
【０００５】
例えば、図１は、従来技術による代表的なフィードフォワード増幅器１００のブロック図である。フィードフォワード増幅器１００は、主信号経路１０２と、フィードフォワード補正回路１０４と、制御回路１０６とを含む。搬送波成分を有する入力信号１０１は、主信号経路１０２へ供給され、ここで、この信号は、入力信号結合器１０８を介して、利得位相調整器１１０に送られる。利得位相調整器１１０は、制御回路１０６から受信した制御信号に基づき入力信号１０１の振幅と位相を調整する。利得位相調整器１１０は、振幅位相調整済入力信号を無線周波数（ＲＦ）電力増幅器１１２に送り、無線周波数（ＲＦ）電力増幅器１１２は、この信号を増幅して増幅信号１１３を生成する。次に、ＲＦ電力増幅器１１２は、信号結合器１１６と遅延回路１１８を介して、増幅信号１１３を出力信号結合器１２０へ送る。上述したように、ＲＦ電力増幅器１１２は、増幅信号に歪成分を生じさせ、この歪成分は、フィードフォワード補正回路１０４によって出力された誤り信号によって部分的に打ち消される。
【０００６】
フィードフォワード補正回路１０４は、入力信号１０１と増幅信号１１３に基づき誤り信号を生成する。フィードフォワード補正回路１０４に含まれる加算接合器１２４は、遅延回路１２２を介して、入力信号１０１の一部を入力信号結合器１０８から受信し、更に、信号結合器１１６から増幅信号１１３の一部を受信する。加算接合器１２４は、入力信号の受信された部分から、増幅信号の受信された部分を減じ、誤り信号１２５を生成する。この減算によって、入力信号の受信された部分の搬送波成分によって、増幅信号の受信された部分の搬送波成分を部分的に打ち消す。その結果、誤り信号１２５は、増幅信号の受信された部分における歪成分を主に含む。
【０００７】
次に、加算接合器１２４は、フィードフォワード信号結合器１２６とフィードフォワード利得位相調整器１２８を介して、フィードフォワード補正回路誤り増幅器１３０へ誤り信号１２５を送る。誤り増幅器１３０は、受信された誤り信号を増幅し、増幅誤り信号１３１を生成し、増幅誤り信号を出力信号結合器１２０へ送る。出力信号結合器１２０は、増幅誤り信号１３１を増幅信号１１３と合成し、増幅信号１１３の歪成分を部分的に打ち消し、歪が低減された出力信号１２１を生成する。
【０００８】
誤り増幅器１３０による誤り信号１２５の増幅によって、誤り増幅器の振幅圧縮性と位相歪性のために、誤り信号に歪成分が生ずることがある。増幅誤り信号１３１は、出力信号結合器１２０において増幅信号１１３と合成されることから、付加される歪を最小限に抑えることが望ましい。誤り増幅器１３０によって増幅誤り信号１３１に生ずる歪を低減するために、制御回路１０６は、誤り増幅器駆動信号すなわち誤り信号１２５の平均電力を制御する。
【０００９】
制御回路１０６は、フィードフォワード信号結合器１２６から、誤り信号１２５すなわち減衰誤り信号１２７の一部を受信する。減衰誤り信号１２７は、平均電力検出器１３２へ送られ、平均電力検出器１３２によって減衰誤り信号の平均電力が求められる。平均電力検出器１３２に接続された制御装置１３４は、検出器１３２によって求められた平均電力を読込み、また、その平均電力に基づき、検出器１３２によって検出された平均電力を最小限に抑える利得位相調整器１１０へ制御信号を送る。利得位相調整器１１０により入力信号１０１の振幅位相調整を制御することによって、制御回路１０６は、誤り信号１２５の平均電力に対する制御を行い、これによって、誤り増幅器１３０に印加される駆動信号の平均電力に対する制御を行う。
【００１０】
【発明が解決しようとする課題】
しかしながら、誤り信号１２５の平均電力の制御が、必ずしも、誤り増幅器１３０によって増幅誤り信号に生じる歪を最小限に抑えるとは限らない。誤り増幅器駆動信号の平均電力を制御することによって、従来技術では、フィードフォワード補正回路１０４によって生じる歪の次善の低減を行う。従って、フィードフォワード補正回路によってフィードフォワード増幅器に生じる歪を最小限に抑えるための方法と装置が必要である。
【００１１】
【課題を解決するための手段】
フィードフォワード補正回路によってフィードフォワード増幅器に生じる歪を最小限に抑えるための方法と装置に対する必要性に対応するために、送信機は、無線周波数（ＲＦ）電力増幅器を有する主信号経路を含むフィードフォワード増幅器と、フィードフォワード補正回路と、フィードバック制御回路とを含む。ＲＦ電力増幅器による入力信号の増幅によって、歪成分を含む増幅信号が生成される。フィードフォワード補正回路は、誤り信号を生成し、この誤り信号を用いて誤り増幅器を駆動して増幅誤り信号を生成する。次に、この増幅誤り信号は、歪成分を打ち消すために増幅信号と合成される。誤り増幅器によって増幅誤り信号に生じる歪成分を最小限に抑えるために、フィードバック制御回路は、制御信号を主信号経路へ送り、主信号経路は制御信号に基づき、入力信号の振幅と位相を調整する。
【００１２】
一般的に、本発明は、フィードフォワード増幅器の増幅誤り信号における歪を補正するための装置を包括的に含む。フィードフォワード増幅器は、入力信号を受信し、また、入力信号を増幅して増幅信号を生成する。フィードフォワード増幅器は、入力信号と増幅信号とに基づき誤り信号を求め、また誤り信号を増幅して増幅誤り信号を生成し、この増幅誤り信号は、誤り成分と誤り信号歪成分を含む。増幅誤り信号における歪を補正するための装置は、誤り信号の一部を受信し、増幅誤り信号の一部を受信し、また、誤り信号の受信された部分と該増幅誤り信号の受信された部分とに基づき増幅誤り信号の受信された部分の歪成分を含む誤り歪信号を生成するフィードバック制御回路を含み、フィードバック制御信号は、誤り歪信号をさらに定量化し、前記定量化された誤り歪信号に基づいて制御信号を生成する。制御信号は入力信号の振幅および位相の調整を制御することができ、それによって誤り信号歪成分が低減され得る。
【００１３】
本発明の他の実施例には、主信号経路と、主信号経路に接続されたフィードフォワード補正回路と、主信号経路とフィードフォワード補正回路に接続されたフィードバック制御回路とを含むフィードフォワード増幅器が包括的に含まれる。主信号経路は、入力信号を受信し、前記入力信号をサンプリングして減衰入力信号を生成し、前記減衰入力信号をフィードフォワード補正回路へ送り、前記入力信号を振幅して歪成分から構成される増幅信号を生成し、前記増幅信号をサンプリングして減衰増幅信号を生成し、前記減衰増幅信号と前記減衰増幅誤り信号を前記フィードフォワード補正回路へ送る。フィードフォワード補正回路は、前記減衰入力信号と前記減衰増幅信号を前記主信号経路から受信し、前記減衰入力信号と前記減衰増幅信号に基づき誤り信号を生成し、前記誤り信号を増幅して誤り成分と歪成分から構成される増幅誤り信号を生成し、前記誤り信号をサンプリングして減衰誤り信号を生成し、前記増幅誤り信号をサンプリングして減衰増幅誤り信号を生成し、前記減衰誤り信号と前記減衰増幅誤り信号を制御回路へ送る。制御回路は、前記フィードフォワード補正回路から前記減衰誤り信号と前記減衰増幅誤り信号を受信し、前記減衰誤り信号と前記減衰増幅誤り信号に基づき前記減衰増幅誤り信号の歪成分を含む誤り歪信号を生成し、前記誤り歪信号を定量化して定量化された誤り歪信号を生成し、前記定量化された誤り歪信号に基づき制御信号を生成し、前記制御信号を前記主信号経路へ送る。前記制御信号に基づき、前記主信号経路は、前記増幅誤り信号の歪成分を低減するために、前記入力信号の振幅と位相を調整する。
【００１４】
本発明の更に他の実施例は、入力信号を増幅して増幅信号を生成するフィードフォワード増幅器を有する送信機において歪を低減するための方法を提供する。この方法は、前記入力信号をサンプリングして減衰入力信号を生成する段階と、前記増幅信号をサンプリングして減衰増幅信号を生成する段階とを含む。更に、本方法は、前記減衰入力信号を前記減衰増幅信号と合成して誤り信号を生成する段階と、  前記減衰入力信号を前記減衰増幅信号と合成して誤り信号を生成する段階と、前記誤り信号をサンプリングして減衰誤り信号を生成する段階と、前記誤り信号を増幅して増幅誤り信号を生成する段階と、前記増幅誤り信号をサンプリングして減衰増幅誤り信号を生成する段階と、前記減衰誤り信号と前記減衰増幅誤り信号とに基づき減衰増幅誤り信号の歪成分を含む誤り歪信号を生成する段階と、前記誤り歪信号を定量化する段階と、前記定量化された誤り歪信号に基づき前記入力信号の振幅と位相を調整する段階と、からなる。
【００１６】
【発明の実施の形態】
本発明について、更に図２乃至７を参照し詳細に説明する。図２は、本発明の実施形態による通信装置２００のブロック図である。好適には、通信装置２００は送受信基地局を含むが、一方、通信装置１００は、携帯電話機、無線電話機、又は無線モデム等、情報を無線送信し得る何らかの無線通信装置を含み得る。通信装置２００には、受信機２０４と、フィードフォワード増幅器２０８を有する送信機２０６との各々に接続されたアンテナ２０２が含まれる。更に、通信装置２００には、受信機２０４及び送信機２０６の各々に接続され、また更にメモリ２１２及び情報源２１４に接続されたマイクロプロセッサ又はデジタル信号プロセッサ（ＤＳＰ）等のプロセッサ２１０が含まれる。メモリ２１２は、通信装置２００の動作時に、プロセッサ２１０が実行するプログラムを記憶する。情報源２１４は、通信装置２００の外部にある装置又はネットワークとのインタフェースを含むことが可能であり、また他の選択肢として、携帯電話機又は無線電話機の場合、ユーザインタフェースであってもよく、また更に他の実施形態においては、プロセッサ２１０に含んでもよく、またプロセッサ上で走るアプリケーションであってもよい。
【００１７】
情報源２１４又は受信機２０４は、プロセッサ２１０に情報を供給する。プロセッサ２１０は、良く知られた信号処理技術により情報を処理し、そして、処理された情報から構成される信号を送信機２０６に送信する。送信機２０６は、その情報を無線周波数（ＲＦ）搬送波に変調してＲＦ信号を生成し、そのＲＦ信号をフィードフォワード増幅器２０８に送り、ここで、その信号を増幅し、アンテナ２０２を介して送信する。
【００１８】
図３は、本発明の実施形態によるフィードフォワード増幅器３００のブロック図を示す。フィードフォワード増幅器３００は、フィードフォワード補正回路３０４と制御回路３０６との各々に接続された主信号経路３０２を含む。搬送波成分から構成されるＲＦ信号３０１は、フィードフォワード増幅器３００に入力される。フィードフォワード増幅器３００は、入力信号３０１を主信号経路３０２に送り、ここで、入力信号は、入力信号結合器３０８（好適には方向性結合器）を介して利得位相調整器３１０に送られる。利得位相調整器３１０は、制御回路３０６から受信した制御信号に基づき、入力信号３０１の振幅及び位相を調整する。次に、利得位相調整器３１０は、振幅位相調整済入力信号を利得位相調整器３１０に接続されたＲＦ電力増幅器３１２に送る。ＲＦ電力増幅器３１２は、パワートランジスタ等のＲＦ増幅要素、ＲＦ増幅要素を機能させ又ＡＢ級のＲＦ増幅要素をバイアスするために必要な入出力整合回路、バイアス・減結合回路を含むが、Ｂ級又はＣ級等、他のバイアス回路も本発明の精神と範囲から逸脱することなく本発明で用い得ることは、当業者には理解されよう。
【００１９】
ＲＦ電力増幅器３１２は、振幅位相調整済入力信号を増幅して、搬送波成分と、また更に電力増幅器によって増幅信号に生じる歪み成分とを含む増幅信号３１３を生成する。歪み成分は、電力増幅器が振幅範囲を超えて駆動される場合、ＲＦ電力増幅器３１２の振幅圧縮特性と位相歪み特性とによるものであり、補償されない場合、隣接チャネルへのスペクトル拡散の原因となり、これによって、隣接チャネルを用いる通信装置を阻害する。次に、ＲＦ電力増幅器３１２は、電力増幅器に接続された信号結合器３１６（好適には方向性結合器）と、信号結合器３１６及び３２０の各々に接続された遅延回路３１８とを介して出力信号結合器３２０（好適には方向性結合器）に増幅信号３１３を送信する。更に、信号結合器３０８、３１６、３２０は、各々フィードフォワード補正回路３０４に接続されている。
【００２０】
増幅信号３１３の歪み成分を打ち消すために、フィードフォワード補正回路３０４は、入力信号３０１及び増幅信号３１３に基づき、誤り信号を生成する。入力信号結合器３０８は、入力信号３０１をサンプリングして減衰された入力信号３０９を生成し、その減衰入力信号は遅延回路３２２を介してフィードフォワード補正回路３０４に含まれる加算接合器３２４に送信する。遅延回路３２２の時間遅延は、利得位相調整器３１０、増幅器３１２、信号結合器３１６による信号遅延を補償するように設定される。信号結合器３１６は、増幅された信号３１３をサンプリングして減衰された増幅信号３１７を生成し、その減衰増幅信号を加算接合器３２４に送信する。
【００２１】
加算接合器３２４は、減衰増幅信号３１７を遅延減衰入力信号３０９と合成し、好適には信号３０９から信号３１７を減じて、誤り信号３２５を生成する。遅延減衰入力信号３０９から減衰増幅信号３１７を減じると、減衰入力信号３０９によって減衰増幅信号３１７の搬送波成分が部分的に打ち消される。その結果、誤り信号３２５は、増幅信号３１３の歪み成分に対応する減衰増幅信号３１７の歪み成分を主として含む。
【００２２】
次に、フィードフォワード増幅器３００は、誤り信号３２５に基づき、増幅信号３１３の歪み成分を低減する。加算接合器３２４は、加算接合器と、信号結合器３２６と誤り増幅器との間に配置された利得位相調整器３２８とに接続された第１フィードフォワード信号結合器３２６（好適には方向性結合器）を介して誤り増幅器３３０に誤り信号３２５を送信する。フィードフォワード利得位相調整器３２８は、誤り信号３２５の振幅及び位相を調整して、振幅と位相が調整された誤り信号３２９を生成し、また出力信号結合器３２０において増幅信号３１３の歪み成分が最大限打ち消されるようにする。利得位相調整器３２８は、調整済誤り信号３２９を誤り増幅器３３０に送信し、誤り増幅器はその調整済誤り信号３２９を増幅して、増幅誤り信号３３１を生成する。増幅誤り信号３３１は、誤り信号３２５の増幅バージョンに対応する誤り成分を含み、また更に、誤り増幅器の非線形特性のために増幅誤り信号に生じる誤り信号歪み成分を含み得る。
【００２３】
誤り増幅器３３０は、第２フィードフォワード信号結合器３４０（好適には方向性結合器）を介して、出力信号結合器３２０に増幅誤り信号３３１を送信する。出力信号結合器３２０は、増幅誤り信号３３１と増幅信号３１３とを合成し、好適には増幅信号３１３から増幅誤り信号３３１を減じて、歪みが低減された出力信号３２１を生成する。減じる前に、増幅信号３１３は、遅延回路３１８によって時間遅延を受ける。遅延回路３１８の時間遅延は、信号結合器３１６、加算接合器３２４、第１及び第２フィードフォワード信号結合器３２６、３４０、利得位相調整器３２８、誤り増幅器３３０による信号遅延を補償するよう設定される。
【００２４】
増幅誤り信号３３１は、出力信号結合器３１８において増幅信号３１３と合成され、出力信号３２１が生成されることから、出力信号３２１は、増幅搬送波成分と、電力増幅器によって増幅信号に生じ、また増幅誤り信号によって打ち消されない歪み成分と、誤り増幅器によって増幅誤り信号に生じる誤り信号歪み成分とを含み得る。出力信号３２１の歪み成分を全て最小限に抑えることが望ましいことから、誤り増幅器３３０によって増幅誤り信号に生じる歪みを最小限に抑えることが望ましい。
【００２５】
従来技術では、誤り信号の平均電力を制御することによって増幅誤り信号に生じる歪みが低減される。しかしながら、誤り増幅器駆動信号の平均電力を制御しても、対応する誤り増幅器を駆動して、利得圧縮を最大限行い、その結果最も厳しいＡＭ／ＡＭ及びＡＭ／ＰＭ歪みを招く駆動信号のピーク電力が最小限に抑えられるとは限らない。増幅誤り信号３３１に生じた歪みを最適に低減するために、フィードフォワード増幅器３００の制御回路３０６は、誤り増幅器駆動信号３２９のピーク電力のエネルギを制御する。駆動信号のピーク電力のエネルギを制御することによって、増幅誤り信号３３１に生じ、またこれによって出力信号３２１に生じる歪みを最小限に抑え得る。
【００２６】
制御回路３０６は、信号結合器３２６に接続された利得位相調整器３４２、利得位相調整器３４２に接続された遅延回路３４４、遅延回路３４４及び信号結合器３４０に接続された加算接合器３４６、加算接合器３４６に接続された歪検出器３４８、歪検出器３４８及び利得位相調整器３４２に接続された制御装置３５０を含む。第１フィードフォワード信号結合器３２６は、誤り信号３２５をサンプリングして減衰誤り信号３２７を生成し、その減衰誤り信号を利得位相調整器３４２に送信する。利得位相調整器３４２は、制御装置３５０から受信した制御信号に基づき、減衰誤り信号３２７の振幅及び位相を調整し、その振幅と位相が調整された減衰誤り信号を、遅延回路３４４を介して加算接合器３４６に送信する。遅延回路３４４の時間遅延は、信号結合器３２６と利得位相調整器３４２とによる信号遅延に対して、第１フィードフォワード信号結合器３２６、利得位相調整器３２８、誤り増幅器３３０、信号結合器３４０による信号遅延を補償するよう設定される。
【００２７】
第２フィードフォワード信号結合器３４０は、増幅誤り信号３４０をサンプリングして減衰増幅誤り信号３４１を生成し、その減衰増幅誤り信号を加算接合器３４６に送信する。加算接合器３４６は、減衰増幅誤り信号３４１を、遅延され振幅と位相が調整された減衰誤り信号と合成し、好適には遅延・調整済減衰誤り信号から減衰増幅誤り信号を減じて、誤り増幅器歪信号３４７を生成する。２つの信号を合成することによって、遅延され振幅と位相が調整された減衰誤り信号によって減衰増幅誤り信号３４１の誤り成分が部分的に打ち消される。その結果、誤り増幅器歪信号３４７は、誤り増幅器３３０によって誤り信号３２５に生じる誤り信号歪み成分に対応する減衰増幅誤り信号３４１の歪み成分を主として含む。
【００２８】
加算接合器３４６は、誤り増幅器歪信号３４７を歪検出器３４８に送信する。歪検出器３４８は、誤り増幅器歪信号を制御装置３５０が読取り得るように、誤り増幅器歪信号３４７を定量化する。例えば、歪検出器３４８は、アナログ・デジタル変換器（Ａ／Ｄ）に接続された電力検出器を含んでもよく、ここで、電力検出器は、誤り増幅器歪信号３４７のエネルギを決定し、またＡ／Ｄ変換器は、制御装置３５０が読込むデジタル信号に、その決定されたエネルギを変換する。電力検出器の例には、平均すなわちＲＭＳ電力検出器、ピーク電力検出器、アナログ・デバイス社から入手可能なＡＤ８３１３対数検出器等の対数電力検出器、及び対数検出器を機能させ得るために必要な関連回路、あるいは平均電力検出器、ピーク電力検出器、対数電力検出器の内、２つ以上から成るハイブリッド装置が含まれる。他の例として、歪検出器３４８は、Ａ／Ｄ変換器に接続された包絡線検出器を含んでもよく、ここで、包絡線検出器は、誤り増幅器歪信号３４７の高速フーリエ変換（ＦＦＴ）を行い、また信号のスペクトル電力密度を、Ａ／Ｄ変換器を介して制御装置３５０に送信する。更に他の例として、歪検出器３４８は、Ａ／Ｄ変換器に接続された位相検出器を含んでもよく、ここで、位相検出器は、誤り増幅器歪信号３４７の位相を決定し、その決定された位相を、Ａ／Ｄ変換器を介して制御装置３５０に送信する。制御装置３５０は、歪検出器３４８が決定した定量誤り増幅器歪信号を読込む。定量誤り増幅器歪信号に基づき、制御装置３５０は、定量誤り増幅器歪信号を最小限に抑えるための複数の制御信号３５１、３５２を生成する。
【００２９】
制御装置３５０は、複数の制御信号の内、第１制御信号３５１を利得位相調整器３４２に送信する。制御信号３５１の受信に応じて、利得位相調整器３４２は、加算接合器３４６において減衰誤り信号によって減衰増幅誤り信号３４１の誤り成分を最大限打ち消すために、減衰誤り信号３２７の振幅及び位相を調整する。誤り成分を最大限打ち消すことによって、誤り増幅器歪信号３４７のエネルギが低減され、減衰増幅誤り信号３４１の歪み成分の誤り増幅器歪信号における分離がより良好になる。
【００３０】
制御装置３５０は、複数の制御信号の内、第２制御信号３５２を利得位相調整器３１０に送信する。制御信号３５２の受信に応じて、利得位相調整器３１０は、誤り信号３２５のエネルギが低減されるように入力信号３０１の振幅及び位相を調整し、それによって、誤り増幅器３３０に印加される駆動信号３２９のエネルギが低減され、また誤り増幅器３３０によって増幅誤り信号３３１に生じる誤り信号歪み成分のエネルギが低減され、また更に誤り増幅器歪信号３４７のエネルギが低減される。
【００３１】
誤り増幅器歪信号３４７に含まれる減衰増幅誤り信号３４１の歪み成分をより良好に分離するために制御信号３５１を用いることによって、制御装置３０６は、減衰増幅誤り信号３４１の歪み成分に基づき、従って増幅誤り信号３３１の歪み成分に基づき、制御信号を生成できる。制御装置３５０が読込む定量誤り信号歪み成分を低減するために制御信号３５１及び３５２を用いることによって、制御回路３０６は、誤り増幅器３３０によって増幅誤り信号３３１に生じる誤り信号歪み成分を低減する。誤り増幅器３３０によって増幅誤り信号３３１に生じる誤り信号歪み成分を低減することによって、制御回路３０６は、増幅誤り信号によって出力信号３２１に付加された誤り信号歪み成分を低減し、それによって出力信号に含まれる歪みを低減する。
【００３２】
図４は、本発明の他の実施形態によるフィードフォワード増幅器４００のブロック図である。フィードフォワード増幅器４００は、主信号経路４０２、フィードフォワード補正回路４０４、制御回路４０６を含む。搬送波成分から構成されるＲＦ信号４０１は、フィードフォワード増幅器４００に入力される。フィードフォワード増幅器４００は、入力信号４０１を主信号経路４０２に送るが、ここで、入力信号４０１は、入力信号結合器４０８（好適には方向性結合器）を介して利得位相調整器４１０に送られる。利得位相調整器４１０は、制御回路４０６から受信した制御信号に基づき入力信号４０１の振幅及び位相を調整する。振幅位相調整済入力信号は、利得位相調整器４１０に接続されたＲＦ電力増幅器４１２に送られるが、ここで、この信号を増幅して増幅信号４１３を生成する。次に、増幅信号４１３は、ＲＦ電力増幅器４１２に接続された信号結合器４１６（好適には方向性結合器）と、信号結合器４１６及び４２０の各々に接続された遅延回路４１８とを経由して出力信号結合器４２０（好適には方向性結合器）に送信される。更に信号結合器４０８、４１６、４２０は各々、フィードフォワード補正回路４０４に接続される。
【００３３】
ＲＦ電力増幅器３１２と同様に、ＲＦ電力増幅器４１２は、パワートランジス等のＲＦ増幅要素と、ＲＦ増幅要素を機能し得るようにし、またＲＦ増幅要素を適切にバイアスするために必要な入出力整合回路と、バイアス・減結合回路とを含む。ＲＦ電力増幅器４１２によって、歪み成分が増幅信号４１３に生じるが、この歪み成分は、フィードフォワード補正回路４０４が出力した誤り信号によって部分的に打ち消される。
【００３４】
フィードフォワード補正回路４０４は、入力信号結合器４０８から入力信号４０１の一部、すなわち、減衰入力信号４０９を受信する。減衰入力信号４０９は、遅延回路４２２によって遅延され、次に、遅延回路に接続された加算接合器４２４に送られる。更に加算接合器４２４は、増幅信号４１３の一部、すなわち減衰増幅信号４１７を信号結合器４１６から受信する。加算接合器４２４は、減衰増幅信号４１７を遅延減衰入力信号と合成し、また好適には遅延減衰入力信号から信号４１７を減じて、誤り信号４２５を生成する。減衰増幅信号４１７を遅延減衰入力信号と合成すると、遅延減衰入力信号によって減衰増幅信号４１７の搬送波成分が部分的に打ち消される。その結果、誤り信号４２５は、増幅信号４１３の歪み成分に対応する減衰増幅信号４１７の歪み成分を主に含む。
【００３５】
加算接合器４２４は、加算接合器４２４及び制御回路４０６の各々に接続されたフィードフォワード信号結合器４２６と、信号結合器４２６及び誤り増幅器４３０の各々に接続されたフィードフォワード利得位相調整器４２８とを経由して誤り増幅器４３０に誤り信号４２５を送信する。フィードフォワード利得位相調整器４２８は、誤り信号４２５の振幅及び位相を調整する。誤り増幅器４３０は、振幅と位相が調整された誤り信号を増幅して、増幅誤り信号４３１を生成する。増幅誤り信号４３１は、誤り信号４２５の増幅バージョンに対応する誤り成分を含み、また更に、誤り増幅器４３０の非線形特性によって増幅誤り信号に生じた歪み成分を含み得る。誤り増幅器４３０は、増幅誤り信号４３１を出力信号結合器４２０に送信する。出力信号結合器４２０は、増幅誤り信号４３１を増幅信号４１３と合成して、増幅信号４２１の歪み成分を低減する。
【００３６】
制御回路４０６は、誤り増幅器４３０によって増幅誤り信号４３１に生じる歪みを低減するために、誤り増幅器駆動信号のピーク電力のエネルギを制御する。制御回路４０６は、誤り信号４２５の一部、すなわち、減衰誤り信号４２７をフィードフォワード信号結合器４２６から受信し、好適には、ピーク電力検出器、あるいはまた対数電力検出器又は包絡線検出器を含み、また減衰誤り信号のピーク電力又は包絡線電力を定量化する電力検出器４３２にその減衰誤り信号を送る。制御装置４３４は、電力検出器４３２に接続され、検出器４３２が求めた電力を読込む。次に、制御装置４３４は、求められたピーク電力に基づき制御信号を利得位相調整器４１０に送信し、利得位相調整器４１０は、その制御信号に基づき入力信号４０１の振幅と位相を調整する。入力信号４０１の振幅と位相の調整を制御することによって、制御回路４０６は、誤り信号４２５のピーク電力に基づき、加算接合器４２４において搬送波成分の打ち消しを制御し、これによって、誤り増幅器４３０に印加される駆動信号（すなわち、誤り信号４２５）のピーク電力を制御し得る。
【００３７】
本発明の他の実施形態において、電力検出器４３２は、平均電力検出器とピーク電力検出器とから構成されるハイブリッド電力検出器であってもよい。代表的なハイブリッド電力検出器５００を図５に示す。ハイブリッド電力検出器５００は、減衰誤り信号４２７を信号結合器４２６から受信する。ハイブリッド電力検出器５００に含まれる信号結合器５０２（好適には方向性結合器）は、減衰誤り信号４２７をサンプリングして、減衰誤り信号４２７の第１部分を生成する。減衰誤り信号４２７の第１部分は、第１信号結合器５０２に接続されたサーキュレータ５０４と、サーキュレータ及びピーク電力検出器に接続された結合コンデンサ５０６とを介してピーク電力検出器５０８に送信される。ピーク電力検出器５０８は、サンプリングされた信号の第１部分のピーク包絡線電力を求め、その求めたピーク包絡線電力に対応する信号５０９を、第１アナログ・デジタル変換器（Ａ／Ｄ）５１０に送信し、ここで、ピーク包絡線電力は制御装置４３４が読込むデジタル信号に変換される。
【００３８】
減衰誤り信号４２７の第２部分は、第２信号結合器５１４に接続されたサーキュレータ５１２と、サーキュレータ及び平均電力検出器に接続された信号結合器５１４とを介して平均電力検出器５１６に送信される。平均電力検出器５１６は、サンプリングされた第２信号の平均電力を求め、その求めた平均電力に対応する信号５１７を第２Ａ／Ｄ変換器５１８に送信する。第２Ａ／Ｄ変換器５１８は、平均電力を制御装置４３４が読込むデジタル信号に変換する。次に、制御装置４３４は、求めたピーク及び平均電力に基づき、制御信号を利得位相調整器４１０に送信する。利得位相調整器４１０によって入力信号４０１の振幅及び位相の調整を制御することによって、制御回路４０６は、誤り信号４２５のピーク及び平均電力に基づき、加算接合器４２４において搬送波成分の打ち消しを制御し、これによって、誤り増幅器４３０に印加される駆動信号（すなわち、誤り信号４２５）のピーク電力を制御する。
【００３９】
ハイブリッド電力検出器の更に他の例において、ピーク電力検出器５０８及び平均電力検出器５１６のそれぞれの出力信号５０９及び５１７は、Ａ／Ｄ変換器に送信される前に加算し得る。例えば、図５において、ピーク電力検出器５０８と平均電力検出器５１６は各々、加算接合器５２０を介してＡ／Ｄ変換器５２２に接続してもよい。出力信号５０９と出力信号５１７は加算接合器５２０において合成され、次に、その合成信号は、Ａ／Ｄ変換器５２２に送られる。Ａ／Ｄ変換器５２２は、制御装置４３４が読取り、また制御装置４３４が制御信号を利得位相調整器４１０に送信するために用いるデジタル信号にその合成信号を変換する。
【００４０】
ピーク電力が誤り信号４２５のピーク電力に対応する減衰誤り信号４２７のピーク電力を求めることによって、制御回路４０６は、誤り信号のピーク電力を制御し、これによって送信機における歪みを低減できる。誤り信号４２５は、振幅位相調整器４２８によって振幅位相調整された後、誤り増幅器４３０用の駆動信号としての役割を担う。誤り信号４２５のピーク電力は、誤り増幅器４３０による誤り信号の増幅の際、最も厳しい利得圧縮を招き、このため、最も大きな信号歪みを招く誤り信号の部分である。電力検出器４３２は、減衰誤り信号４２７のエネルギを求め、制御装置４３４は、その求めたエネルギに基づき制御信号を生成する。制御装置４３４は、制御信号を主信号経路４０２の利得位相調整器４１０に送信する。振幅位相調整済入力信号の増幅・減衰済バージョンを入力信号の減衰済バージョンと合成することによって生成される誤り信号４２５のピーク電力が低減されるように、利得位相調整器４１０は、制御信号に基づき、入力信号４０１の振幅及び位相を調整する。誤り信号４２５のピーク電力を低減することによって、減衰誤り信号４２７のエネルギが低減され、また誤り増幅器駆動信号のピーク電力が低減され、その結果、増幅誤り信号３３１の歪み成分が低減され、また減衰誤り信号４２７のエネルギが低減される。
【００４１】
図６は、本発明の実施形態による送信機における歪みを低減するために、フィードフォワード増幅器２０８を有する送信機２０６によって実行されるステップの論理フロー（流れ）図６００である。フィードフォワード増幅器は、入力信号を増幅して増幅信号を生成するＲＦ電力増幅器３１２、４１２を含む。論理フローは、フィードフォワード増幅器が入力信号をサンプリングして減衰入力信号を生成し（６０２）、増幅信号をサンプリングして減衰増幅信号を生成し（６０３）、減衰入力信号を減衰増幅信号と合成して誤り信号を生成する（６０４）場合に開始される（６０１）。
【００４２】
好適には、フィードフォワード増幅器は、主信号経路、フィードフォワード補正回路、制御回路を含む。好適には、入力信号をサンプリングして減衰入力信号を生成するステップ（６０２）は、以下のステップを含む。フィードフォワード増幅器は入力信号を主信号経路に送るが、ここで、入力信号は、第１主信号経路信号結合器と、主信号経路利得位相調整器とを経由してＲＦ電力増幅器に送られる。第１主信号経路信号結合器は、入力信号をサンプリングして減衰入力信号を生成し、その減衰入力信号をフィードフォワード補正回路に送信する。
【００４３】
次に、増幅信号をサンプリングして減衰増幅信号を生成するステップ（６０３）は、以下のステップを含む。ＲＦ電力増幅器は、入力信号を増幅してＲＦ電力増幅器出力信号を生成する。ＲＦ電力増幅器は、ＲＦ電力増幅器に接続された第２主信号経路信号結合器と、第２及び第３主信号経路信号結合器の各々に接続された主信号経路遅延回路とを経由して第３主信号経路信号結合器にＲＦ電力増幅器出力信号を送信する。第２信号結合器は、ＲＦ電力増幅器出力信号をサンプリングして減衰ＲＦ電力増幅器出力信号を生成し、減衰ＲＦ電力増幅器出力信号をフィードフォワード補正回路に送信する。次に、合成のステップ（６０４）は、以下のステップを含む。フィードフォワード補正回路は、減衰入力信号及び減衰ＲＦ電力増幅器出力信号の各々を、フィードフォワード補正回路に含まれる加算接合器に送り、好適には、遅延回路を介して、減衰入力信号を加算接合器に送る。フィードフォワード補正回路加算接合器は、減衰入力信号を減衰ＲＦ電力増幅器出力信号と合成して、誤り信号を生成する。
【００４４】
次に、フィードフォワード増幅器は、誤り信号に基づき制御信号を生成するが（６０５）、ここで、制御信号は、誤り信号のピーク電力のエネルギを制御することが可能であり、論理フローは終了する（６０６）。誤り信号のピーク電力のエネルギを制御することによって、フィードフォワード増幅器は、誤り増幅器駆動信号のピーク電力を制御し、また送信機における歪みを低減する。本発明の他の実施形態において、論理フロー６００は更に、制御信号に基づき入力信号の振幅と入力信号の位相とを調整するステップ（６０７）を含む。
【００４５】
本発明の１つの実施形態において、制御信号を生成するステップ（６０５）は、以下のステップを含む。フィードフォワード補正回路加算接合器は、フィードフォワード補正回路信号結合器と、フィードフォワード補正回路利得位相調整器とを介して誤り増幅器に誤り信号を送信する。フィードフォワード補正回路信号結合器は、誤り信号をサンプリングして減衰誤り信号を生成し、その減衰誤り信号を、制御装置に接続された電力検出器を含む制御回路に送信する。電力検出器は、減衰誤り信号のピーク電力のエネルギを検出し、制御装置は、その検出されたエネルギを読取り、その検出されたエネルギに基づき制御信号を生成する。
【００４６】
制御装置は、制御信号を主信号経路の利得位相調整器に送信するが、その調整器は、第１信号結合器とＲＦ電力増幅器との間に配置されている。利得位相調整器は、入力信号の振幅及び位相を調整するが、これによって、増幅信号の振幅及び位相と、誤り信号のピーク電力のエネルギとにおける対応する調整が行われる。誤り信号のピーク電力のエネルギを低減することによって、利得圧縮は、誤り増幅器による誤り信号の増幅において最小限に抑えられ、これによって、誤り信号歪み成分と減衰誤り信号のピーク電力のエネルギとが低減される。
【００４７】
本発明の他の実施形態において、誤り信号のピーク電力に基づき制御信号を生成するステップ（６０５）は、以下のステップを含む。フィードフォワード補正回路の加算接合器は、第１フィードフォワード補正回路信号結合器と、フィードフォワード補正回路利得位相調整器とを介して誤り増幅器に誤り信号を送信する。誤り増幅器は、受信した誤り信号を増幅して、誤り成分と誤り信号歪成分とを含む増幅誤り信号を生成する。誤り増幅器は、第２フィードフォワード補正回路信号結合器を介して、第３主信号経路信号結合器に増幅誤り信号を送信する。第３主信号経路信号結合器は、増幅誤り信号を増幅信号と合成して、フィードフォワード増幅器出力信号を生成するが、この出力信号は、誤り増幅器によって増幅誤り信号に生じる誤り信号歪成分を含む。
【００４８】
第１フィードフォワード補正回路信号結合器は、誤り信号をサンプリングして減衰誤り信号を生成し、制御回路に含まれる制御回路利得位相調整器にその減衰誤り信号を送信する。制御回路利得位相調整器は、調整器に接続された制御装置から受信した第１制御信号に基づき、減衰誤り信号の振幅及び位相を調整する。次に、制御回路利得位相調整器は、遅延回路を介して制御回路加算接合器に調整済減衰誤り信号を送信する。
【００４９】
第２フィードフォワード補正回路信号結合器は、増幅誤り信号をサンプリングして減衰増幅誤り信号を生成し、その減衰増幅誤り信号を制御回路加算接合器に送信する。制御回路加算接合器は、好適には後者から前者を減じて、調整済減衰誤り信号と減衰増幅誤り信号を合成する。２つの信号を合成することによって、減衰増幅誤り信号の誤り成分が部分的に打ち消され、また減衰増幅誤り信号の歪成分を主として含む誤り歪信号が生成されるが、この歪成分は、増幅誤り信号の歪成分に対応する。制御回路加算接合器は、誤り歪信号を定量化する制御回路歪検出器に誤り歪信号を送信する。定量誤り歪信号は、歪検出器に接続された制御回路制御装置によって読取られ、制御装置は、定量誤り歪信号に基づき１つ以上の制御信号を生成する。
【００５０】
この１つ以上の制御信号の内、第１制御信号は、制御回路利得位相調整器に送信される。制御回路利得位相調整器は、制御回路加算接合器において減衰誤り信号を用いて減衰増幅誤り信号の誤り成分を最大限に打ち消すために、減衰誤り信号の振幅及び位相を調整する。この１つ以上の制御信号の内、第２制御信号は、主信号経路利得位相調整器に送信される。主信号経路利得位相調整器は、入力信号の振幅及び位相を調整し、これによって、増幅信号の振幅及び位相と、減衰増幅信号の振幅及び位相と、誤り信号のピーク電力のエネルギとが調整される。誤り信号のピーク電力のエネルギを低減することによって、利得圧縮は、誤り増幅器による誤り信号の増幅において最小限に抑えられ、これによって、減衰増幅誤り信号の歪成分が低減され、定量誤り歪信号が低減され、またフィードフォワード増幅器出力信号に含まれる歪みが低減される。
【００５１】
図７は、本発明の他の実施形態により送信機における歪みを低減するために、フィードフォワード増幅器を有する送信機によって実行される論理フロー図７００である。論理フローは、フィードフォワード増幅器が入力信号を受信し（７０２）、入力信号を増幅して増幅信号を生成する（７０３）場合に開始する（７０１）。フィードフォワード増幅器は、入力信号と増幅信号とに基づき誤り信号を求め（７０４）、その誤り信号を増幅して増幅誤り信号を生成するが（７０５）、ここで、増幅誤り信号は、誤り成分と歪成分とから構成される。増幅誤り信号の歪成分に基づき、フィードフォワード増幅器は、送信機における歪みを低減し得る制御信号を生成し（７０６）、論理フローは終了する（７０７）。本発明の他の実施形態において、更に論理フロー７００は、制御信号に基づき入力信号の振幅と入力信号の位相とを調整するステップ（７０８）を含む。
【００５２】
好適には、誤り信号を求めるステップ（７０４）は、以下のステップを含む。フィードフォワード増幅器は、入力信号をサンプリングして減衰入力信号を生成し、また増幅信号をサンプリングして、減衰増幅信号を生成する。次に、フィードフォワード増幅器は、減衰入力信号を減衰増幅信号と合成して誤り信号を生成する。
【００５３】
好適には、制御信号を生成するステップ（７０６）は、以下のステップを含む。フィードフォワード増幅器は、誤り信号をサンプリングして減衰誤り信号を生成し、また増幅誤り信号をサンプリングして減衰増幅誤り信号を生成する。フィードフォワード増幅器は、減衰誤り信号を減衰増幅誤り信号と合成して減衰増幅誤り信号の歪成分から構成される誤り歪信号を生成する。誤り歪信号に基づき、フィードフォワード増幅器は、送信機における歪みを低減し得る制御信号を生成する。
【００５４】
【発明の効果】
以上のことから、フィードフォワード増幅器を含む送信機は、増幅誤り信号の歪成分を低減することによって、送信機出力信号における歪みを低減するが、この増幅誤り信号は、増幅入力信号と合成されて、出力信号が生成される。次に、歪成分増幅誤り信号は、誤り増幅器駆動信号のピーク電力を制御することによって低減されるが、そのピーク電力は、誤り信号のピーク電力に対応する。本発明の１つの実施形態において、ピーク電力は、誤り信号の減衰済バージョンのピーク電力を検出し、また検出されたピーク電力に基づき制御信号を生成することによって、制御される。本発明の他の実施形態において、誤り増幅器駆動信号のピーク電力は、増幅誤り信号の減衰バージョンの歪成分（増幅誤り信号の歪成分に対応する）が含まれる歪信号を定量化することによって、また定量化された歪信号に基づき制御信号を生成することによって、制御される。後者の制御信号は、定量化された歪信号を最小限に抑えるようになっており、これによって、誤り増幅器駆動信号のピーク電力と、増幅誤り信号によって出力信号に生じる歪みとが最小限に抑えられる。
【００５５】
本発明は、その具体的な実施例を参照して具体的に示され又説明されたが、本発明の精神と範囲から逸脱することなく、様々な変更をなし得ることや、その構成要素を同等な構成要素で置き換え得ることを当業者は理解されるであろう。更に、その本質的な範囲から逸脱することなく、特定の場合や材料を本発明の教示内容に適合させるために数多くの修正を行い得る。従って、本発明は本明細書に開示された具体的な実施例に制限されず、本発明には添付の請求項の範囲にある全ての実施例が含まれることを意図する。
【図面の簡単な説明】
【図１】  従来技術のフィードフォワード増幅器のブロック図。
【図２】  本発明の実施例に基づく通信装置のブロック図。
【図３】  本発明の実施例に基づくフィードフォワード増幅器のブロック図。
【図４】  本発明の他の実施例に基づくフィードフォワード増幅器のブロック図。
【図５】  本発明の他の実施例に基づく図４のピーク電力検出器の概略図。
【図６】  本発明の実施例に基づく、フィードフォワード増幅器において歪を補正するために送信機によって実行されるステップの論理フロー図。
【図７】  本発明の他の実施例に基づく、送信機において歪を低減するために、フィードフォワード増幅器を有する送信機によって実行されるステップの論理フロー図。
【符号の説明】
２００…通信装置、２０２…アンテナ、２０４…受信機、２０６…送信機、２０８…フィードフォワード増幅器、２１０…プロセッサ、２１２…メモリ、２１４…情報源
【図１】
0004071031.tif 000002
【図２】
0004071031.tif 000003
【図３】
0004071031.tif 000004
【図４】
0004071031.tif 000005
【図５】
0004071031.tif 000006
【図６】
0004071031.tif 000007
【図７】
0004071031.tif 000008